(57)【要約】  この装置は、ロータケーシング（１）と、ロータケーシング（１）内に取り付けられた、雄ねじ山を有するロータ軸（２）と、ロータケーシング（１）の外側に取り付けられた磁石（３）と、伸縮軸（４）とを備え、伸縮軸（４）は、伸縮軸の内面における雌ねじ山を介してロータ軸（２）の雄ねじ山に取り付けられている、ロータアセンブリに関する。この装置によるロータアセンブリは、長く少ない構成部材を有しており、製造コストが低く、線形精度が高いという利点を有する。
2018532367.tif 000002
【特許請求の範囲】
【請求項１】
ロータケーシング（１）と、
前記ロータケーシング（１）内に取り付けられた、雄ねじ山を有するロータ軸（２）と、
前記ロータケーシング（１）の外側に取り付けられた磁石（３）と、
雌ねじ山を有する中空の管である伸縮軸（４）であって、該伸縮軸の内面における雌ねじ山を介して前記ロータ軸（２）の前記雄ねじ山に取り付けられている、伸縮軸（４）と、
を備えることを特徴とする、ロータアセンブリ。
【請求項２】
前記ロータアセンブリは、さらに、前記ロータケーシング（１）の外周に取り付けられた軸受（５）を有することを特徴とする、請求項１記載のロータアセンブリ。
【請求項３】
前記ロータケーシング（１）の内部は中空構造であり、前記ロータ軸（２）の前記雄ねじ山は、少なくとも部分的に前記ロータケーシング（１）の内部中空構造に配置されていることを特徴とする、請求項１記載のロータアセンブリ。
【請求項４】
前記ロータ軸（２）の雄ねじ山との協働により、前記伸縮軸（４）を、部分的にまたは完全に前記ロータケーシング（１）の前記内部中空構造内へ回転させることができることを特徴とする、請求項３記載のロータアセンブリ。
【請求項５】
前記磁石（３）は、環状磁石であり、前記ロータケーシング（１）の円筒状の外面の周囲に嵌め合わされかつ固定されていることを特徴とする、請求項１記載のロータアセンブリ。
【請求項６】
前記伸縮軸（４）の前記外面に、案内溝または案内突出部が設けられていることを特徴とする、請求項１記載のロータアセンブリ。
【請求項７】
前記案内溝または前記案内突出部は、前記伸縮軸（４）の一方の端部から前記伸縮軸（４）の軸方向に延びているが、前記伸縮軸（４）の他方の端部までは貫通していないことを特徴とする、請求項６記載のロータアセンブリ。
【請求項８】
２つの前記案内溝または前記案内突出部が設けられており、前記伸縮軸（４）の前記外面に対称的に分配されていることを特徴とする、請求項６記載のロータアセンブリ。
【請求項９】
前記ロータケーシング（１）および前記ロータ軸（２）は、射出成形によって互いに嵌め合わされており、射出成形後の前記ロータ軸（２）の露出した端部（２１）は、前記ロータケーシング（１）の閉鎖端部の外側に配置されていることを特徴とする、請求項３記載のロータアセンブリ。
【請求項１０】
前記ロータ軸（２）と前記ロータケーシング（１）との接合部の外周にジグザグ構造（２２）が形成されていることを特徴とする、請求項１記載のロータアセンブリ。
【請求項１１】
外側に巻き付けられたコイルを有するステータ（６）と、
前記ステータ（６）の内側に取り付けられたロータアセンブリと、
前記ステータ（６）の外周を包囲する磁気案内リング（１０）と、
前記ステッピングモータに電力を供給するための電気コネクタ（８）と、を備えるステッピングモータであって、
前記ロータアセンブリは、さらに、ロータケーシング（１）と、該ロータケーシング（１）の内側に取り付けられた、雄ねじ山を有するロータ軸（２）と、前記ロータケーシング（１）の外側に取り付けられた磁石（３）と、雌ねじ山を有する中空の管である伸縮軸（４）であって、伸縮軸の内面における雌ねじ山を介して前記ロータ軸（２）の雄ねじ山に嵌め合い形式で取り付けられている伸縮軸（４）と、前記ロータケーシング（１）の外周に取り付けられた軸受（５）と、を有することを特徴とする、ステッピングモータ。
【請求項１２】
前記磁石（３）は、環状磁石でありかつ前記ステータ（６）の内側に配置されており、前記環状磁石の外側リングは、前記ステータ（６）と隙間嵌めされていることを特徴とする、請求項１１記載のステッピングモータ。
【請求項１３】
前記軸受（５）の外側リングは、前記ステータ（６）内にプレス嵌めされていることを特徴とする、請求項１１記載のステッピングモータ。
【請求項１４】
前記ロータケーシング（１）の内部は中空構造であり、前記ロータ軸（２）の前記雄ねじ山は、少なくとも部分的に前記ロータケーシング（１）の内部中空構造に配置されていることを特徴とする、請求項１１記載のステッピングモータ。
【請求項１５】
前記ロータ軸（２）の雄ねじ山との協働により、前記伸縮軸（４）を、部分的にまたは完全に前記ロータケーシング（１）の前記内部中空構造内へ回転させることができることを特徴とする、請求項１４記載のステッピングモータ。
【請求項１６】
前記伸縮軸（４）の外面には、案内溝が設けられており、該案内溝は、前記伸縮軸（４）の一方の端部から前記伸縮軸（４）の軸方向に延びているが、前記伸縮軸（４）の他方の端部までは貫通していないことを特徴とする、請求項１１記載のステッピングモータ。
【請求項１７】
前記ステッピングモータは、さらに、前記磁気案内リング（１０）にプレス嵌めされかつ突出構造が設けられた前側端部カバー（９）を有しており、前記突出構造は、少なくとも部分的に前記伸縮軸（４）における前記案内溝内に配置されており、これにより、前記伸縮軸（４）の回転を防止し、前記伸縮軸（４）を軸方向に案内することを特徴とする、請求項１６記載のステッピングモータ。
【請求項１８】
前記伸縮軸（４）の外面には、案内突出部が設けられており、該案内突出部は、前記伸縮軸（４）の一方の端部から前記伸縮軸（４）の軸方向に延びているが、前記伸縮軸（４）の他方の端部までは貫通していないことを特徴とする、請求項１１記載のステッピングモータ。
【請求項１９】
前記ステッピングモータは、さらに、前記磁気案内リング（１０）にプレス嵌めされかつ溝構造が設けられた前側端部カバー（９）を有しており、前記溝構造は、少なくとも部分的に前記伸縮軸（４）における前記案内突出部を包囲しており、これにより、前記伸縮軸（４）の回転を防止し、前記伸縮軸（４）を軸方向に案内することを特徴とする、請求項１８記載のステッピングモータ。
【請求項２０】
前記ロータケーシング（１）および前記ロータ軸（２）は、射出成形によって互いに嵌め合わされており、射出成形後の前記ロータ軸（２）の露出した端部（２１）は、前記ロータケーシング（１）の閉鎖端部の外側に配置されていることを特徴とする、請求項１１記載のステッピングモータ。
【請求項２１】
前記ステータ（６）に、位置決め穴（６１）が形成されており、前記ロータ軸（２）の露出した端部（２１）は、少なくとも部分的に前記位置決め穴（６１）に配置されていることを特徴とする、請求項２０記載のステッピングモータ。
【請求項２２】
前記ステッピングモータは、さらに、前記伸縮軸（４）の出力端部に取り付けられたカップリングボール（７）を有することを特徴とする、請求項１１記載のステッピングモータ。
【請求項２３】
前記ステッピングモータは、さらに、Ｏリング（１１）を有し、該Ｏリング（１１）は、包囲する形式で前記前側端部カバー（９）に配置されていることを特徴とする、請求項１７または１９記載のステッピングモータ。
【請求項２４】
前記ステッピングモータは、さらに、後側端部カバー（１２）を有し、該後側端部カバー（１２）は、前記電気コネクタ（８）にプレス嵌めされていることを特徴とする、請求項１１記載のステッピングモータ。
【請求項２５】
前記ロータ軸（２）と前記ロータケーシング（１）との接合部の外周にジグザグ構造（２２）が形成されていることを特徴とする、請求項１１記載のロータアセンブリ。
【発明の詳細な説明】
【技術分野】
【０００１】
この装置は、自動車部品の分野に関し、特に、自動車の適応可能なステアリングヘッドライトに適用されるロータアセンブリおよび当該ロータアセンブリを有するステッピングモータに関する。
【背景技術】
【０００２】
自動車の運転操作の安全性を高めるために、当該産業において、車両ライトの照明方向を適応可能に制御するためのシステムが提供されている。このシステムは、左、右、上および下方向への回転を行うためにハンドルの操作角度および車両サスペンションシステムのピッチ角度に従い、したがって、車両ライト（特に、ヘッドランプ）の照明方向が、走行方向に直線で向くのみならず、運転手が操作する方向にも向くことができ、システムは、自動車の走行安全性を高める点で重要な役割を果たす。
【０００３】
車両ライトを制御するための上記システムでは、ステッピングモータ（リニアステッピングモータなど）が、当該産業において現在は駆動装置として使用されているが、中国実用新案第２０１６７４３７８号明細書および中国実用新案第２０２３００６６０号明細書の公開番号を有する中国の許可された特許に示されているように、駆動装置として機能するステッピングモータに設けられたロータおよび出力軸の構造は以下の欠点を有している。つまり、ロータに挿入された軸は、ロータの外側に配置された滑らかな案内部分と、ロータの内側に配置されかつロータと嵌め合わされるねじ山付き部分と、を有する。この構造では、所定の移動を達成するために、軸の長さは、移動する長さの二倍よりも大きくなければならないので、軸の製造コストが大きく、線形精度を保証することが困難であり、電気モータの全体的サイズが長すぎる。
【発明の概要】
【課題を解決するための手段】
【０００４】
この装置の目的は、ヘッドライト操作システムに適用されたステッピングモータおよびステッピングモータに設けられたロータアセンブリを提供することであり、これにより、電気モータの全体的サイズが一定である場合に出力軸の移動をどのように増大させるかという問題を解決する。
【０００５】
この装置によって提供されるロータアセンブリは、ロータケーシング１と、ロータケーシング１内に取り付けられた、雄ねじ山を有するロータ軸２と、ロータケーシング１の外側に取り付けられた磁石３と、雌ねじ山を有する中空の管である伸縮軸４であって、伸縮軸の内面における雌ねじ山を介してロータ軸２の雄ねじ山に取り付けられている伸縮軸４と、を有している。
【０００６】
好適には、ロータアセンブリは、さらに、ロータケーシング１の外周に取り付けられた軸受５を有している。
【０００７】
好適には、ロータケーシング１の内部は中空構造であり、ロータ軸２の雄ねじ山は、少なくとも部分的にロータケーシング１の内部中空構造に配置されている。
【０００８】
好適には、ロータ軸２の雄ねじ山との協働により、伸縮軸４を、部分的にまたは完全にロータケーシング１の内部中空構造内へ回転させることができる。
【０００９】
好適には、磁石３は環状磁石であり、ロータケーシング１の円筒状外面の周囲に嵌め合わされかつ固定されている。
【００１０】
好適には、伸縮軸４の外面には案内溝が設けられており、案内溝は、伸縮軸４の一方の端部から伸縮軸４の軸方向に延びているが、伸縮軸４の他方の端部までは貫通しておらず、伸縮軸４の外面に対称的に分配された２つの案内溝が存在する。
【００１１】
好適には、ロータケーシング１およびロータ軸２は、射出成形によって互いに嵌め合わされ、射出成形後のロータ軸２の露出した端部２１は、ロータケーシング１の閉鎖端部の外側に配置されている。
【００１２】
好適には、ロータ軸２とロータケーシング１との接合部の外周にジグザグ構造２２が形成されている。
【００１３】
この装置は、さらに、ステッピングモータであって、外側に巻き付けられたコイルを有するステータ６と、ステータ６の内側に取り付けられたロータアセンブリと、ステータ６の外周を包囲する磁気案内リング１０と、ステッピングモータに電力を供給するための電気コネクタ８とを、を有し、ロータアセンブリは、さらに、ロータケーシング１と、ロータケーシング１の内側に取り付けられた、雄ねじ山を有するロータ軸２と、ロータケーシング１の外側に取り付けられた磁石３と、雌ねじ山を有する中空の管である伸縮軸４であって、伸縮軸の内面における雌ねじ山を介してロータ軸２の雄ねじ山に嵌め合い形式で取り付けられている伸縮軸４と、ロータケーシング１の外周に取り付けられた軸受５とを有している、ステッピングモータを提供する。
【００１４】
好適には、磁石３は、環状磁石であり、ステータ６内に配置されており、その外側リングは、ステータ６と隙間嵌めを形成している。
【００１５】
好適には、軸受５の外側リングは、ステータ６に押し込まれている。
【００１６】
好適には、ロータケーシング１の内部は中空構造であり、ロータ軸２の雄ねじ山は、少なくとも部分的にロータケーシング１の内部中空構造に配置されている。
【００１７】
好適には、ロータ軸２の雄ねじ山との協働により、伸縮軸４を、部分的にまたは完全にロータケーシング１の内部中空構造内へ回転させることができる。
【００１８】
好適には、伸縮軸４の外面には、案内溝が設けられており、案内溝は、伸縮軸４の一方の端部から伸縮軸４の軸方向に延びているが、伸縮軸４の他方の端部までは貫通していない。
【００１９】
好適には、ステッピングモータは、さらに、磁気案内リング１０にプレス嵌めされかつ突出構造が設けられた前側端部カバー９を有しており、突出構造は、少なくとも部分的に伸縮軸４における案内溝内に配置されており、これにより、伸縮軸４の回転を防止し、伸縮軸４を軸方向に案内する。
【００２０】
好適には、ロータケーシング１およびロータ軸２は、射出成形によって互いに嵌め合わされ、射出成形後のロータ軸２の露出した端部２１は、ロータケーシング１の閉鎖端部の外側に配置されている。
【００２１】
好適には、位置決め穴６１がステータ６に形成されており、ロータ軸２の露出した端部２１は、少なくとも部分的に位置決め穴６１に配置されている。
【００２２】
好適には、ステッピングモータは、さらに、伸縮軸４の出力端部に取り付けられたカップリングボール７と、包囲する形式で前側端部カバー９に配置されたＯリング１１と、電気コネクタ８にプレス嵌めされた後側端部カバー１２とを有している。
【００２３】
好適には、ロータ軸２とロータケーシング１との接合部の外周にジグザグ構造２２が形成されている。
【００２４】
従来技術と比較して、この装置は、ロータアセンブリおよびステッピングモータの新規の構造的設計を使用するので、電気モータの全体的な外側サイズが一定である場合に、伸縮軸（出力軸）が、より長い移動を提供することができると同時に、製造コストが減少し、線形精度が保証される。
【００２５】
本発明の一部を構成する図面は、この装置のさらなる理解を提供するために使用される。この装置の概略的な実施の形態および例示は、この装置を説明するために使用されており、この装置の不適切な定義を形成しない。
【図面の簡単な説明】
【００２６】
【図１】この装置のロータアセンブリの様々な部分の分解図である。
【図２】組立て後の、図１に示されたロータアセンブリの断面図である。
【図３Ａ】図１に示された伸縮軸の概略的な斜視図である。
【図３Ｂ】図３Ａに示された伸縮軸の正面図である。
【図３Ｃ】図３Ｂの左側の図である。
【図３Ｄ】図３Ｂの断面図である。
【図４】図１に示されたロータアセンブリを有するステッピングモータの断面図である。
【図５Ａ】図４に示された前側端部カバーの概略的な斜視図である。
【図５Ｂ】図５Ａに示された前側端部カバーの平面図である。
【図６】組立て後の、図４に示されたステッピングモータの概略的な斜視図である。
【発明を実施するための形態】
【００２７】
この装置のロータアセンブリおよびロータアセンブリを有するステッピングモータを以下に添付の図面および実施の形態に関連して説明する。
【００２８】
実施の形態１
図１は、この装置のロータアセンブリの様々な部分の分解図であり、図２は、組立て後の、図１に示されたロータアセンブリの断面図である。図１および図２に示すように、ロータアセンブリは、特に、以下の部分、すなわち、ロータケーシング１と、ロータケーシング１内に取り付けられた、雄ねじ山を有するロータ軸２と、ロータケーシング１の外側に取り付けられた磁石３と、雌ねじ山を有する中空の管である伸縮軸４であって、伸縮軸の内面における雌ねじ山を介してロータ軸２の雄ねじ山に取り付けられている伸縮軸４と、から成る。
【００２９】
好適には、ロータケーシング１は、中空の円筒状のティーカップに類似の構造を有している。ロータケーシング１の材料は、実用上の要求に従って任意に選択することができ、この実施の形態では、ロータアセンブリの重量を減じるために、ロータケーシング１の材料は、好適にはプラスチックである。ロータ軸２およびロータケーシング１は、射出成形によって互いに固定的に嵌め合わされており、ロータ軸２の雄ねじ山を、完全にまたは部分的にロータケーシング１の内部中空構造に配置することができる。射出成形後のロータ軸２の露出した端部２１は、ロータケーシング１の閉鎖端部の外側に配置されており（ロータ軸２は、ティーカップの閉鎖端部と類似のロータケーシング１の底部内へ延び、これを貫通している）、さらに、図２に示したように、射出成形後にロータケーシング１とロータ軸２との間の接続力を保証するために、ジグザグ構造２２が、ロータ軸２とロータケーシング１との接合部の外周に設計および形成されている。
【００３０】
好適には、磁石３は、締り嵌めまたは射出成形によってロータケーシング１の円筒状の外面に固定的に取り付けられた環状磁石である。
【００３１】
好適には、伸縮軸４は、雌ねじ山を有する中空の管状プラスチック構造であり、伸縮軸４の内面における雌ねじ山を介してロータ軸２の雄ねじ山に取り付けられており、これにより、ロータ軸２の回転運動を伸縮軸４の線形運動に変換することができる。さらに、ロータ軸２の雄ねじ山との協働により、伸縮軸４を、部分的にまたは完全にロータケーシング１の内部中空構造内へ回転させることができる。
【００３２】
好適には、図３Ａ〜図３Ｄに示すように、伸縮軸４の外面には、案内溝または案内突出部が設けられており（図面は、案内突出部の例を提供していない）、案内溝または案内突出部は、伸縮軸４の一方の端部から伸縮軸４の軸方向に延びているが、伸縮軸４の他方の端部まで貫通していない。案内溝または案内突出部の数は規定されておらず、この実施の形態では、２つの案内溝または案内突出部が設けられており（図面における構造４１，４２は案内溝である）、２つの案内溝または案内突出部は、伸縮軸４の外面において対称的に分配されている。
【００３３】
好適には、図１および図２に示したように、上述のロータアセンブリがモータにより良く固定的に取り付けられることを可能にするために、ロータアセンブリは、ロータケーシング１の外周に取り付けられた軸受５も有しており、軸受５を、射出成形、冷間圧縮または締まり嵌めによってロータケーシング１の外周に固定的に取り付けることができる。
【００３４】
上述のロータアセンブリ構造は、主に、ステッピングモータに適用され、自動車ステアリングヘッドライトシステムまたは吸気／排気システムなどのシステムを制御するためにステータおよびコイルなどの他の構成部材と協働する。
【００３５】
実施の形態２
この実施の形態では、コンパクトな構造および長い移動を有するステッピングモータを説明するが、ステッピングモータは、実施の形態１において説明されたロータアセンブリを有している。
【００３６】
図４は、図１および図２に示したロータアセンブリを有するステッピングモータの断面図である。図４に示すように、この実施の形態において説明されるステッピングモータは、以下の構造、すなわち、外側に巻き付けられたコイルを有するステータ６と、ステータ６の内側に取り付けられたロータアセンブリと、ステータ６の外周を包囲する磁気案内リング１０と、ステッピングモータに電力を供給するための電気コネクタ８とを、を有している。ロータアセンブリは、さらに、ロータケーシング１と、ロータケーシング１の内側に取り付けられた、雄ねじ山を有するロータ軸２と、ロータケーシング１の外側に取り付けられた磁石３と、雌ねじ山を有する中空の管である伸縮軸４であって、伸縮軸の内面における雌ねじ山を介してロータ軸２の雄ねじ山に嵌め合い形式で取り付けられている伸縮軸４と、ロータケーシング１の外周に取り付けられた軸受５とを有しており、軸受５を、射出成形、冷間圧縮または締り嵌めによってロータケーシング１の外周において固定的に取り付けることができる。
【００３７】
好適には、磁石３は、ステータ６内に配置された環状磁石であり、環状磁石の外側リングは、ステータ６と隙間嵌めを形成している。
【００３８】
好適には、軸受５の外側リングは、上述のロータアセンブリを支持するためにステータ６内にプレス嵌め（例えば、締め代のあるプレス嵌め）されている。
【００３９】
好適には、ロータケーシング１は、中空の円筒状のティーカップに類似の構造を有している。ロータケーシング１の材料は、実用上の要求に従って任意に選択することができ、この実施の形態では、ロータアセンブリの重量を減じるために、ロータケーシング１の材料は、好適にはプラスチックである。ロータ軸２およびロータケーシング１は、射出成形によって互いに固定的に嵌め合わされており、ロータ軸２の雄ねじ山を、完全にまたは部分的にロータケーシング１の内部中空構造に配置することができる。
【００４０】
好適には、伸縮軸４は、雌ねじ山を有する中空の管状プラスチック構造であり、伸縮軸の内面における雌ねじ山を介してロータ軸２の雄ねじ山に取り付けられており、これにより、ロータ軸２の回転運動を伸縮軸４の線形運動に変換することができる。さらに、ロータ軸２の雄ねじ山との協働により、伸縮軸４を、部分的にまたは完全にロータケーシング１の内部中空構造内へ回転させることができる。
【００４１】
好適には、図３Ａ〜図３Ｄに示したように、伸縮軸４の外面には、案内溝が設けられており、案内溝は、伸縮軸４の一方の端部から伸縮軸４の軸方向に延びているが、伸縮軸４の他方の端部までは貫通していない。案内溝の数は規定されておらず、この実施の形態では、好適には２つの案内溝（図面に示された構造４１，４２）が設けられており、２つの案内溝は、伸縮軸４の外面において対称的に分配されている。代替的に、伸縮軸４の外面に案内溝が形成されていないならば、案内突出部（図面は例を提供していない）が案内機能を実現することができ、案内突出部も、伸縮軸４の一方の端部から伸縮軸４の軸方向に延びているが、伸縮軸４の他方の端部まで貫通していない。案内突出部の数は規定されていないが、好適には２つであり、２つの案内突出部は、伸縮軸４の外面に対称的に分配されている。
【００４２】
好適には、図５Ａおよび図５Ｂに示すように、ステッピングモータは、磁気伝導性のリング１０内にプレス嵌めされかつ突出構造が設けられた、前側端部カバー９も有している。突出構造は、伸縮軸４が回転することを防止し、伸縮軸４を軸方向で案内するために、伸縮軸４における案内溝に少なくとも部分的に配置されている。この実施の形態では、対称的に分配された２つの突出構造（９１および９２）は、前側端部カバー９に設けられており、伸縮軸４の位置決めを軸方向で案内しかつ制限するために、案内溝４１，４２に配置されている。代替的に、伸縮軸４における案内構造が案内突出部である場合、案内するために案内突出部と協働するために、溝構造が、前側端部カバー９に形成されている（図面は例を提供していない）。溝構造は、伸縮軸４が回転することを防止し、伸縮軸４を軸方向で案内するために、伸縮軸４における案内突出部を少なくとも部分的に包囲する。同様に、前側端部カバー９における突出部の数は２つであってもよく、突出部は、前側端部カバー９において対称的に分配されている。
【００４３】
さらに、前側端部カバー９は、モータ全体を有効に固定およびロックするために、磁気伝導性のリング１０と隙間嵌めされている。磁気伝導性のリング１０には、複数のジョーピース構造が設けられており、これらのジョーピース構造は、曲げられ、次いで、前側端部カバー９に押し込まれる。
【００４４】
好適には、図４に示したように、ロータケーシング１およびロータ軸２は、射出成形によって互いに嵌め合わされている。射出成形後のロータ軸２の露出した端部２１は、ロータケーシング１の閉鎖端部の外側に配置されており（ロータ軸２は、ティーカップの閉鎖端部と類似のロータケーシング１の底部に挿入され、この底部を貫通している）、さらに、射出成形後のロータケーシング１とロータ軸２との間の接続力を保証するために、ジグザグ構造２２が、ロータ軸２とロータケーシング１との接合部の外周に設計および形成されている。
【００４５】
好適には、図４に示したように、位置決め穴６１がステータ６に形成されており、ロータ軸２の露出した端部２１は、少なくとも部分的に位置決め穴６１に配置されている。これにより、位置決め穴６１は、ロータ軸２を支持するための従来の後側軸受に置き換わることができ、両端部においてロータ軸２を支持するために軸受５と協働することができる。加えて、露出した端部２１と位置決め穴６１との間の摩擦を減じるために、露出した端部２１または位置決め穴６１にグリースを塗布することができる。
【００４６】
好適には、図４および図６に示すように、ステッピングモータは、伸縮軸４の出力端部に取り付けられたカップリングボール７も有しており、カップリングボール７を、ホットリベッティング、接着剤ディスペンシングまたはピンを横方向に挿入することによって伸縮軸４に固定的に取り付けることができる。
【００４７】
好適には、図６に示すように、ステッピングモータは、Ｏリング１１も有している。Ｏリング１１は、包囲する形式で前側端部カバー９に設けられており、ステッピングモータがカスタマーインターフェースに取り付けられたとき、Ｏリング１１は、取付けのためのプリテンション力を提供するために押し付けられかつ変形させられる。
【００４８】
好適には、図６に示したように、ステッピングモータは、後側端部カバー１２も有し、後側端部カバー１２は、電気コネクタ８にプレス嵌めされている。
【００４９】
上述のステッピングモータの作動形式および原理は以下の通りである。コイルが巻き付けられたステータ６が、ピンコネクタ８を介して電力を供給すると、磁界ループが、ステータ６と、磁気伝導性のリング１０と、環状磁石３との間に形成される。これにより、ロータケーシング１を駆動して回転させるトルクを発生し、ロータ軸２を駆動して回転させ、ねじ山の協働により、伸縮軸４は、回転運動を線形運動に変換し、カップリングボール７を駆動して、伸縮軸４の軸方向に沿って前後に移動させる。
【００５０】
この装置は、上記で好適な実施の形態に関して開示されているが、この装置は、これに限定されない。この装置の思想および範囲から逸脱することなく当業者によってなされるあらゆる変更および改変は、この装置の保護範囲に含まれるべきであり、したがって、この装置の保護範囲は、請求項に規定された範囲である。
【図１】
2018532367.tif 000003
【図２】
2018532367.tif 000004
【図３Ａ】
2018532367.tif 000005
【図３Ｂ】
2018532367.tif 000006
【図３Ｃ】
2018532367.tif 000007
【図３Ｄ】
2018532367.tif 000008
【図４】
2018532367.tif 000009
【図５Ａ】
2018532367.tif 000010
【図５Ｂ】
2018532367.tif 000011
【図６】
2018532367.tif 000012
【国際調査報告】
2018532367.tif 000013
2018532367.tif 000014